(57)【要約】【課題】いわゆる後締め式のドリルチャックにおいて、つかみあごの締め付けエッジが、損傷から、より良好に保護できるように構成する。【解決手段】つかみあご(５)は、チャック躯幹部(２)の連れ動かし具受入部(１９)のネジ切部にネジ合わされた連れ動かし具(９)に沿って半径方向に位置・姿勢をシフト可能に案内されている。また、つかみあご(５)は、締め付け及びその解除を行うべく、チャック躯幹部(２)と締め付けテーパー部(３)及びつかみあご保持部(４)との間の相対的な回転によって、位置・姿勢をシフト可能である。ここで、つかみあご(５)のあご体(６)が、締め付けエッジ(７)の両側に突き当て面(１０)を備え、突き当て面(１０)は、つかみあご(５)が最小限の締め付け径をなす位置・姿勢にある締め付け状態にて、隣のつかみあご(５)の突き当て面(１０)に突き当てられる。【選択図】図１
2007152551.tif 000002
【特許請求の範囲】
【請求項１】
スピンドル受入部(１)を有するチャック躯幹部(２)と、チャック躯幹部(２)に共軸に回転可能な締め付けテーパー部(３)とを備えるドリルチャックであって、
締め付けテーパー部(３)が、チャック躯幹部(２)に取り付けられたつかみあご保持部(４)に支持されており、つかみあご保持部(４)中には、周方向に均等に分布するように３つまたはその他複数のつかみあご(５)が配置され、つかみあご(５)のあご体(６)が、締め付けエッジ(７)の逆側にて、案内スリット(７)中に案内されており、つかみあご(５)は、連れ動かし具(９)に沿って半径方向に位置・姿勢をシフト可能に案内されており、締め付け及びその解除を行うべく、チャック躯幹部(２)と締め付けテーパー部(３)との間の相対的な回転によって、つかみあご保持部(４)とともに、位置・姿勢をシフト可能であり、
連れ動かし具(９)のネジ切部(１７)は、チャック躯幹部(２)の連れ動かし具受入部(１９)における、チャック軸(１８)に共軸に設けられたネジ切部に噛み合わされるドリルチャックにおいて、
つかみあご(５)のあご体(６)が、締め付けエッジ(７)の両側に突き当て面(１０)を備え、突き当て面(１０)は、つかみあご(５)が最小限の締め付け径をなす位置・姿勢にある締め付け状態にて、隣のつかみあご(５)の突き当て面(１０)に突き当てられることを特徴とするドリルチャック。
【請求項２】
締め付けエッジ(７)が締め付け用差込部材(１１)に設けられ、締め付け用差込部材(１１)が、あご体(６)の長さ方向溝(１２)中に取り付けられ、長さ方向溝(１２)の両側の壁体(１３)が、締め付け方向前方に、突き当て面(１０)を備えることを特徴とする請求項１に記載のドリルチャック。
【請求項３】
締め付け用差込部材(１１)が、超硬合金、または表面硬質化処理を施した金属材からなることを特徴とする請求項２に記載のドリルチャック。
【請求項４】
少なくとも１つのつかみあご(５)の締め付けエッジ(７)には、締め付けエッジ(７)の長さ方向に対して垂直に延びる谷部(１４)が設けられることを特徴とする請求項１〜３のいずれかに記載のドリルチャック。
【請求項５】
谷部(１４)の縁が稜角をなし、尖った締め付け歯(１５)が設けられたことを特徴とする請求項４に記載のドリルチャック。
【請求項６】
各締め付けエッジ(７)に対応して、１つの締め付け用差込部材(１１)が備られるか、または複数の締め付け用差込部材(１１)が備えられ、これら複数の締め付け用差込部材(１１)は、互いに間隔を置いて配置され、互いに向き合う面に、尖った稜角が設けられたことを特徴とする請求項３〜５のいずれかに記載のドリルチャック。
【請求項７】
各つかみあご(５)の締め付けエッジ(７)が、少なくとも２つの締め付け用の稜部(１６)を備えることを特徴とする請求項１〜５のいずれかに記載のドリルチャック。
【請求項８】
複数の締め付け稜部(１６)が、締め付けエッジ(７)の長さ方向に互いにずらされて、互い違いに配置されたことを特徴とする請求項７に記載のドリルチャック。
【請求項９】
全ての締め付け稜部(１６)が、締め付けエッジ(７)の長さ方向の中央線から、側方へとずらされていることを特徴とする請求項７または８に記載のドリルチャック。
【発明の詳細な説明】
【技術分野】
【０００１】
本発明はドリルチャックに関する。
【背景技術】
【０００２】
ここでのドリルチャックは、スピンドル受入部を有するチャック躯幹部と、チャック躯幹部に共軸に回転可能な締付テーパー部とを備える。締付テーパー部は、軸方向にて、チャック躯幹部に取り付けられた、つかみあご保持部から支持されている。つかみあご保持部中には、周方向に均等に分布するようにして、複数のつかみあご、好ましくは３つのつかみあごが配置される。これらつかみあごのあご体は、締め付けエッジの逆の側にて、案内スリット中に案内されている。複数のつかみあごは、連れ動かし具に沿って半径方向に位置・姿勢をシフト可能に案内されており、チャック躯幹部と、締付テーパー部及びつかみあご保持部との相対的な回転によって、位置・姿勢をシフト可能である。このためには、連れ動かし具のネジ切部が、チャック躯幹部の連れ動かし具受入部にある、チャック軸に共軸に設けられたスピンドルネジ切部に噛み合う。
【０００３】
ドリルチャックについての品質の基本的な基準は、ドリルチャックによる到達可能な締め付け力であり、ドリルチャックの耐用期間の全体にわたって、ドリリング駆動中に大きな回転モーメントが伝達可能であって、ドリリング工具が、複数のつかみあごの締め付けエッジ間にて確実に締め付けられるようになっていることである。したがって、ドリリング工具を頻繁に交換した後においても、つかみあごが悪影響を受けてはならない。特に、つかみあごの締め付けエッジが損傷を受けてはならない。締め付けエッジは、工具のシャフトに食い込むようにするために、横断面にて、なるべく尖るようにして延びているが、締め付けエッジが欠けてしまい鈍くなってしまうことがある。このようなことを、特には、意図せずしてユーザーが引き起こすことがある。すなわち、締め付け径が非常に小さい場合や、ドリリング工具が存在しない場合に、必要に応じてドリリング機械の動力源を用い、ドリルチャックを完全に閉じてしまう際に、上記のようなことを引き起こすことがある。
【特許文献１】ヨーロッパ特許出願公開ＥＰ００１７７４８Ａ１
【発明の開示】
【発明が解決しようとする課題】
【０００４】
本発明の根底をなす課題は、導入部で述べたようなドリルチャックにおいて、つかみあごの締め付けエッジが、損傷から、より良好に保護されるように構成することにある。
【課題を解決するための手段】
【０００５】
このような課題は、本発明によると、導入部で述べたようなドリルチャックにおいて、以下のような特徴を備えることにより解決される。あご体が、締め付けエッジの両側に突き当て面を備え、該突き当て面は、複数のつかみあごが、最小限の締め付け径でもって締め付ける位置・姿勢にあるときに、隣のつかみあごの突き当て面に突き当たる。
【発明の効果】
【０００６】
このような形態であると、ユーザーによって意図せずして締め付けエッジ同士が直接に作用し合わないということが保証される。ドリルチャックが完全に閉じられ、かつ、ドリリング工具の工具シャフトが複数のつかみあごの間に位置していない場合にも、締め付けエッジ同士が直接に作用し合わないということが保証されるのである。ドリルチャックが完全に閉じられ、かつ、ドリリング工具の工具シャフトが複数のつかみあごの間に位置していない場合、特には、ドリルチャックに割り当てられたドリリング機械におけるモーターまたは原動機の動力がつかみあごの位置・姿勢のシフトに用いられるときに、問題が生じるのである。右回転または左回転を行うドリリング装置のスイッチング状態のみにより、つかみあごを正しい方向に動かすかどうかについて決められるからである。したがって、ドリルチャックについて、所望の開放動作を行う代わりに、閉じる動作を行ってしまうということが起こりやすい。ところが、本発明のドリルチャックであると、もっぱら、次のとおりとなる。突き当て面同士が互いに突き当たるのであり、このとき、鋭利な締め付けエッジ同士が、突き当てられて悪影響または損傷を及ぼし合うことがないのである。
【発明を実施するための最良の形態】
【０００７】
本発明の枠内において、次のとおりであるならば特に好ましい。締め付けエッジが締め付け用差し込み部材に設けられ、締め付け用差し込み部材が、あご体の長さ方向凹部中に配置されている。また、該長さ方向凹部の両側の壁体は、先端面の側、すなわち締め付け方向前方側に、突き当て面を備える。このような実施形態であると、本発明のドリルチャックをなすためのつかみあごについて、通常、凹凸の少ないつかみあごとして、安価な材料から構成することができ、この材料については、簡単な加工だけが行われることになる。所望の大きな締め付け力は、このために最適の締め付け用差込部材によって、実現されているのである。ここで、締め付け用差込部材は、超硬合金（Cemented Carbide）、または表面硬質化処理（例えば加熱焼入れ、浸炭、窒化、浸炭窒化など）を行った金属材からなるのが好ましい。このようにして、締め付け用差込部材が磨耗するのをさらに防止し、ドリリング工具のシャフトへの食い込み、及び応力伝達を達成するためである。
【０００８】
また、少なくとも一つのつかみあごの締め付けエッジには、締め付けエッジの長さ方向と交差する方向に向けて、特には垂直の方向に向けて配置された谷部が少なくとも一つ設けられる。この谷部は、締め付けエッジの突き当て長さを短くすることにより、線状圧締の圧力を増大させるものであり、さらには、次のような実施形態を可能とする。谷部の縁が稜角として設けられ、また、締め付け歯が設けられる。すなわち、ドリリング工具のシャフトに食い込み、したがって、一種の噛み合せによる接続を実現するという実施形態が可能となる。
【０００９】
また、次のような実施形態をとることもできる。各締め付けエッジに対応して、複数の締め付け用差込部材が備えられる。これら締め付け用差込部材が、相互に間隔を置いて配置され、互いに向き合う面は、鋭利な稜角をなす。したがって、これに関連した利点を達成すべく、超硬合金からなる締め付け用差込部材が用いられるならば、やはり、先に述べた利点が得られる。
【００１０】
本発明の枠内において、各つかみあごに、締め付けエッジが２つ、または３つ以上の締め付け用の稜部を有しているならば好ましい。複数の締め付け稜部を用いるならば、一つのみ締め付け稜部を用いる場合に比べて、線状圧締の圧力を低減することができる。そのため、シャフト径の異なる複数種のドリリング工具を用いる場合にも、確実であって、かつ長期間にわたて持ちこたえる結合が保証される。特には、回転モーメントが生じることで、応力による締め付け稜部の食い込みが実現されるならば、このような結合が保証される。これにより次のような実施形態が可能となる。２つの締め付け稜部が、長さ方向に互いにずらされて、互い違いになるように配置されているか、または、これに代えて、２つの締め付け稜部の両方が、締め付け用エッジの長さ方向の中央から、片側へとずれて配置される。
【００１１】
以下に、図面に示された本発明の実施例について、詳細に説明する。
【００１２】
図１，３及び５には、いわゆる後締め式のドリルチャックを示す。後締め式のドリルチャックには、スピンドル受け入れ部１を有するチャック躯幹部２と、チャック躯幹部２に対して共軸に回転可能な締め付けテーパー部３とが配置されている。締め付けテーパー部３は、軸方向にて、チャック躯幹部２に取り付けられたつかみあご保持部９に支持されている。つかみあご保持部９中では、周方向に均等に分布するようにして複数のつかみあご５が配置されている。図示の実施例においては、３つのつかみあご５のあご体６が、締め付けエッジ７の逆側にて、それぞれ、案内スリット８中に案内されている。つかみあご５は、半径方向へと位置・姿勢をシフト可能に連れ動かし具９の案内部中にも案内されており、チャック躯幹部２と、締付テーパー部３及びつかみあご保持部４との間の相対的な回転により、締め付けまたはその解除を行うべく位置・姿勢をシフト可能である。したがって、チャック躯幹部２と、締付テーパー部３及びつかみあご保持部４との間の相対的な回転により、つかみあご５が、締め付けまたはその解除を行うべく位置・姿勢をシフトする。図２，４及び６から知られるように、あご体６は、締め付けエッジ７の両側に、突き当て面１０を備える。突き当て面１０は、つかみあご１０が最小限の締め付け径をなす締め付けの位置・姿勢にあるとき、及び、完全に閉じられた位置・姿勢にあるときに、隣り合うつかみあごの突き当て面１０に突き当てられる。
【００１３】
図２に示す実施例においては、締め付けエッジ７が締め付け用差込部１１に設けられ、締め付け用差込部材１１が、あご体６の長さ方向の溝１２もしくは長さ方向に延びる凹陥部中に嵌め込まれており、また、長さ方向溝１２の両側の壁体１３もしくは壁板が、その先端側、すなわち、締め付け方向前方側に、突き当て面１０を備える。ここで、締め付け用差込部材１１が超硬合金からなる。図２から知られるように、各つかみあご５には、全部で２つの締め付け用差込部１１が備えられる。これら２つの締め付け用差込部材１１は、図１中に示すように、互いに間隔を置いて配置される。また、これら締め付け用差込部材１１は、互いに向き合う面にて、尖った稜角をなす。一方、図３及び図４ａは、セットをなして、一つの実施例を示す。図３及び図４ａの組み合わせの実施例において、つかみあご５の締め付けエッジ７には、長さ方向に延びる締め付けエッジ７に対して垂直の方向に延びる３つの谷部１４が設けられている。谷部１４の縁が稜角をなし、鋭利な締め付け歯１５が設けられている。このように、締め付け用差込部１１が尖った稜角を有し、かつ、鋭利な締め付け歯１５が設けられる。そのため、ドリリング工具のシャフトへの食い込みが、より良好となり、一種の噛み合い接続を実現する。したがって、複数のつかみあご５の間にてドリリング工具を確実に締め付けて保持するにあたり、摩擦による接続のみ必要とされるのではない。
【００１４】
図２及び図４ｃにそれぞれ示される実施例においては、各つかみあごの締め付けエッジ７が、２つの締め付け稜部１６を備えている。図１に描かれたところによると、各締め付け用差込部材１１において、２つの締め付け稜部１６が、締め付けエッジ７の長さ方向に互いにずらされ、互い違いになるように設けられている。一方、図４ｃの実施例によると、締め付けエッジ７の長さ方向全長にわたって、２つの締め付け稜部１６が平行に延びている。これら２つの実施例のいずれにおいても、２つの締め付け稜部１６は、締め付けエッジ７の中央線から、締め付けエッジ７を緩めたり締め付けたりする方向にて、すなわち回転方向にて、側方にずらして配置されている。
【図面の簡単な説明】
【００１５】
【図１】本発明のドリルチャックについて、左半部では長手方向断面を示し、右半部では側面を示す半断面・半側面図である。
【図２】第１の実施形態についての、図１におけるII-II断面を示す図である。
【図３】第２の実施形態についての、図１に対応する半断面・半側面図である。
【図４ａ】第２の実施形態の第１の具体例を示す、図３におけるIV-IV断面図である。
【図４ｂ】第２の実施形態の第２の具体例を示す、図３におけるIV-IV断面図である。
【図４ｃ】第２の実施形態の第３の具体例を示す、図３におけるIV-IV断面図である。
【図５】第３の実施形態を示す、図１に対応する半断面・半側面図である。
【図６】図５のVI-VI断面を示す図である。
【符号の説明】
【００１６】
１  スピンドル受入部        ２  チャック躯幹部          ３  締付テーパー部    
４  つかみあご保持部        ５  つかみあご              ６  あご体    
７  締め付けエッジ          ８  案内スリット            ９  連れ動かし具    
１０  突き当て面            １１  締め付け用差込部材    １２  長さ方向溝    
１３  溝の両側の壁体        １４  谷部                  １５  締め付け歯    
１６  締め付け稜部          １７  連れ動かし具ネジ切部  １８  チャック軸    
１９  連れ動かし具受入部
【図１】
2007152551.tif 000003
【図２】
2007152551.tif 000004
【図３】
2007152551.tif 000005
【図４ａ】
2007152551.tif 000006
【図４ｂ】
2007152551.tif 000007
【図４ｃ】
2007152551.tif 000008
【図５】
2007152551.tif 000009
【図６】
2007152551.tif 000010